(57)【要約】【課題】携帯オーディオ再生機器の軽便性を損なわずに、携帯オーディオ再生機器の出力するオーディオ信号を高品位に再生することができる表示装置を提供すること。【解決手段】表示装置３のリモコン装置７には、携帯オーディオ再生機器４３からオーディオ信号を受けるオーディオ接続端子４５と、該オーディオ接続端子４５に入力されたオーディオ信号をリモートコントロール信号６に変調して出力する信号変換ユニット４７とを備え、表示装置３の装置本体５には、受信したリモートコントロール信号６が携帯オーディオ再生機器４３からのオーディオ信号を変調した信号であるとき、そのリモートコントロール信号６をオーディオ信号に復調して内蔵のオーディオアンプ１７に送って再生するアンプ入力切り替え手段３７を備える。【選択図】図１
2008227640.tif 000002
【特許請求の範囲】
【請求項１】
外部から入力される映像信号を再生するディスプレイユニットと、外部から入力される音声信号を処理してスピーカに出力するオーディオアンプと、リモートコントロール信号を受信するリモート信号受信部と、前記ディスプレイユニットにおける映像再生や前記オーディオアンプを介しての前記スピーカにおける音声再生を前記リモート信号受信部が受信したリモートコントロール信号に基づいて制御する制御部とを備えた装置本体と、
前記リモートコントロール信号を出力する信号送信部を有したリモコン装置と、を備えた表示装置であって、
前記リモコン装置には、オーディオデータ記憶手段から出力されたオーディオ信号を前記リモートコントロール信号に変調して前記信号送信部に送る信号変換ユニットを備え、
前記装置本体には、前記リモコン装置の出力するリモートコントロール信号が前記オーディオデータ記憶手段からのオーディオ信号を変調した信号であるとき、受信したリモートコントロール信号を復調して前記オーディオアンプに送り、前記オーディオデータ記憶手段が出力するオーディオ信号の再生を行うアンプ入力切り替え手段を備えたことを特徴とする表示装置。
【請求項２】
前記装置本体は、前記リモコン装置を介して前記オーディオデータ記憶手段からのオーディオ信号を受信・再生している時には、前記ディスプレイユニットを非表示状態に制御することを特徴とする請求項１に記載の表示装置。
【請求項３】
前記装置本体は、前記リモコン装置を介して前記オーディオデータ記憶手段からのオーディオ信号を受信・再生している時には、前記ディスプレイユニットにおける画像表示を単一色表示状態に制御することを特徴とする請求項１に記載の表示装置。
【請求項４】
前記装置本体は、前記リモコン装置を介して前記オーディオデータ記憶手段からのオーディオ信号を受信・再生している時には、前記ディスプレイユニットにおける画像表示を、所定の映像入力手段から入力される静止画又は動画の表示状態に制御することを特徴とする請求項１に記載の表示装置。
【発明の詳細な説明】
【技術分野】
【０００１】
本発明は、装置本体にオーディオアンプが装備されると共に、装置本体の動作状態を付属のリモコン装置により制御可能な表示装置に関する。
【背景技術】
【０００２】
近年、リビングルーム等に設置するテレビとして、大画面の薄型テレビが著しい普及を見せている。
大画面の薄型テレビは、通常、装置本体とリモコン装置とから構成されている。そして、装置本体は、外部から入力される映像信号を再生するディスプレイユニットと、外部から入力される音声信号を処理してスピーカに出力するオーディオアンプと、リモートコントロール信号を受信するリモート信号受信部と、前記ディスプレイユニットにおける映像再生や前記オーディオアンプを介しての前記スピーカにおける音声再生を前記リモート信号受信部が受信したリモートコントロール信号に基づいて制御する制御部とを備えた構成とされている。
また、前記リモコン装置は、前記リモートコントロール信号を出力する信号送信部を有しており、該信号送信部から出力するリモートコントロール信号によって、前記装置本体に映像信号や音声信号を入力する外部入力の切り替えやテレビ放送受信時の表示チャンネルの切り替えを指示するようになっている。
【０００３】
そして、最近のこの種の薄型テレビは、内蔵のオーディオアンプやスピーカが高品位化され、音楽再生においても十分な性能を発揮できるようになり、また、装置本体には外部のオーディオ機器を接続可能な各種の外部入力端子が装備されて、活用範囲の拡充が図られている（例えば、非特許文献１参照）。
【０００４】
一方、近年では、携帯オーディオ再生機器の開発・普及も著しい。
最近の携帯オーディオ再生機器は、例えばＡｐｐｌｅ社製の携帯オーディオ再生機器であるｉＰｏｄ（登録商標）などに代表されるように、オーディオ信号の記録媒体としてＲＡＭやフラッシュメモリなどを採用することでコンパクト化が促進され、また、インナーイヤー型のヘッドホンの高性能化もあって、どこでも手軽に高品位な音楽が楽しめるようになった（例えば、非特許文献２参照）。
【０００５】
【非特許文献１】パイオニア社製プラズマテレビＰＤＰ−６０７ＨＸ［平成１９年２月１３日検索］、インターネット＜URL：http://pioneer.jp/pdp/lineup/pdp_607hx.html＞
【非特許文献２】Ａｐｐｌｅ社製ｉＰｏｄ（登録商標）［平成１９年２月１３日検索］、インターネット＜URL：http://www.apple.com/jp/ipod/ipod.html＞
【発明の開示】
【発明が解決しようとする課題】
【０００６】
ところで、携帯オーディオ再生機器を家庭のリビングルーム等の室内で使用するときは、ヘッドホンではなく、外部スピーカによってオープンな雰囲気で音楽を聴きたくなることが少なくない。
そのような場合に備えて、携帯オーディオ再生機器を接続可能なアンプ付きのスピーカシステムも各種開発され、市販されているが、一般に、それらのスピーカシステムは小型で、前述した大画面の薄型テレビに搭載されているスピーカシステムよりも性能的に劣る場合が少なくない。
【０００７】
従って、音楽再生に優れた薄型テレビ等が同じ部屋に有るなら、携帯オーディオ再生機器のオーディオ信号をその薄型テレビで再生できたら、好都合である。
ところが、従来の薄型テレビ等は、各種の外部入力端子を備えていても、外部接続の対象機器は、ビデオディスクプレイヤーやビデオデッキであり、携帯オーディオ再生機器の接続は考慮されていない。
そして、もしも接続できたとしても、薄型テレビ等の装置本体にケーブルで直に携帯オーディオ再生機器を繋ぐ使用形態では、携帯オーディオ再生機器を操作する際には薄型テレビ等の装置本体の設置場所まで足を運ばねばならず、携帯オーディオ再生機器における軽便性が損なわれてしまうという問題があった。
【０００８】
本発明が解決しようとする課題としては、携帯オーディオ再生機器の軽便性を損なわずに、携帯オーディオ再生機器の出力するオーディオ信号を表示装置によって高品位に再生することができて、表示装置の活用範囲の拡充により付加価値や商品価値を高めることのできる表示装置を提供することが一例として挙げられる。
【課題を解決するための手段】
【０００９】
上記課題を解決するために、請求項１に記載の表示装置は、外部から入力される映像信号を再生するディスプレイユニットと、外部から入力される音声信号を処理してスピーカに出力するオーディオアンプと、リモートコントロール信号を受信するリモート信号受信部と、前記ディスプレイユニットにおける映像再生や前記オーディオアンプを介しての前記スピーカにおける音声再生を前記リモート信号受信部が受信したリモートコントロール信号に基づいて制御する制御部とを備えた装置本体と、前記リモートコントロール信号を出力する信号送信部を有したリモコン装置と、を備えた表示装置であって、前記リモコン装置には、オーディオデータ記憶手段から出力されたオーディオ信号を前記リモートコントロール信号に変調して前記信号送信部に送る信号変換ユニットを備え、前記装置本体には、前記リモコン装置の出力するリモートコントロール信号が前記オーディオデータ記憶手段からのオーディオ信号を変調した信号であるとき、受信したリモートコントロール信号を復調して前記オーディオアンプに送り、前記オーディオデータ記憶手段が出力するオーディオ信号の再生を行うアンプ入力切り替え手段を備えたことを特徴とする。
【発明を実施するための最良の形態】
【００１０】
以下、本発明に係る表示装置の好適な実施の形態について説明する。
本発明の実施の形態となる表示装置は、装置本体とリモコン装置とを備えており、
装置本体は、
・外部から入力される映像信号を再生するディスプレイユニット
・外部から入力される音声信号を処理してスピーカに出力するオーディオアンプ
・リモートコントロール信号を受信するリモート信号受信部
・ディスプレイユニットにおける映像再生やオーディオアンプを介してのスピーカにおける音声再生をリモート信号受信部が受信したリモートコントロール信号に基づいて制御する制御部
を備えている。
リモコン装置は、この装置本体に対して、リモートコントロール信号を出力する信号送信部を有している。
【００１１】
さらに、リモコン装置には、オーディオデータ記憶手段から出力されたオーディオ信号を前記リモートコントロール信号に変調して前記信号送信部に送る信号変換ユニットを備えている。
【００１２】
また、装置本体には、リモコン装置の出力するリモートコントロール信号がオーディオデータ記憶手段からのオーディオ信号を変調した信号であるとき、受信したリモートコントロール信号を復調してオーディオアンプに送り、オーディオデータ記憶手段が出力するオーディオ信号の再生を行うアンプ入力切り替え手段を備えている。
【００１３】
以上の構成によれば、表示装置が設置してある部屋において、オーディオデータ記憶手段の一例である携帯オーディオ再生機器によって再生された音楽等を聞く場合に、携帯オーディオ再生機器を表示装置のリモコン装置に接続すれば、携帯オーディオ再生機器の出力するオーディオ信号を表示装置の装置本体に内蔵のオーディオアンプ及びスピーカにより再生することができる。
【００１４】
しかも、携帯オーディオ再生機器の接続は、持ち運びが可能なリモコン装置であるため、携帯オーディオ再生機器の載置位置等はリモコン装置と一緒に自由に移動することができ、携帯オーディオ再生機器の軽便性を損なわずに、高品位な音楽再生を既設の表示装置により実現することが可能になる。従って、表示装置の活用範囲の拡充によって表示装置の付加価値や商品価値を高めることができる。
【００１５】
なお、オーディオデータ記憶手段はリモコン装置とは別の筐体である上記携帯オーディオ再生機器に限定されるものではなく、例えば、リモコン装置にＩＣメモリカード等の記憶手段を挿入可能なメモリスロットを設け、このメモリスロットに、オーディオデータが記憶されたＩＣメモリカード等を挿入・接続する構成にしてもよい。
【００１６】
なお、好ましくは、上記実施の形態において、前記装置本体は、前記リモコン装置を介して前記オーディオデータ記憶手段からのオーディオ信号を受信・再生している時には、前記ディスプレイユニットを非表示状態に制御する構成とすると良い。
このようにすると、消費電力が大きいディスプレイユニットの稼働を停止して、節電をすることができる。
また、映像を表示しない状況にすることで、表示装置をピュアオーディオ装置的に取り扱うことができ、より純粋に音だけを楽しむことができる。
【００１７】
また、さらに好ましくは、上記実施の形態において、前記装置本体は、前記リモコン装置を介して前記オーディオデータ記憶手段からのオーディオ信号を受信・再生している時には、前記ディスプレイユニットにおける画像表示を単一色表示状態に制御する構成とすると良い。
このような構成にすると、再生する音楽に単一色の発光画面を組み合わせた再生環境を作って、音楽を試聴する雰囲気に変化を与えることができる。
【００１８】
また、さらに好ましくは、上記実施の形態において、前記装置本体は、前記リモコン装置を介して前記オーディオデータ記憶手段からのオーディオ信号を受信・再生している時には、前記ディスプレイユニットにおける画像表示を、所定の映像入力手段から入力される静止画又は動画の表示状態に制御する構成とすると良い。
このような構成にすると、オーディオデータ記憶手段からのオーディオ信号を再生する一方で、ユーザの好みの映像を表示させるなどして、表示装置の活用を更に拡充して、表示装置の利用価値を高めることができる。
【００１９】
更に上記実施の形態の具体的な実施例として、オーディオデータ記憶手段が携帯オーディオ再生機器である例を挙げて、以下、詳細に説明する。
【実施例】
【００２０】
図１は本発明に係る表示装置の実施例の概略構成図、図２は図１に示した表示装置の各部の機能ブロック図、図３は図１に示した表示装置が携帯オーディオ再生機器からのオーディオ信号を再生するときの制御フローを示すフローチャートである。
【００２１】
図１に示すように、この実施例の表示装置３は、薄型テレビとして利用されるもので、装置本体５と、この装置本体５における画像表示や音声再生の動作をリモートコントロール信号６により制御する充電式のリモコン装置７と、リモコン装置７に内蔵の充電式電池に充電するための充電器９とから構成されている。
【００２２】
装置本体５は、図２に示すように、音声・映像入力端子１１を介して外部から入力される映像信号を再生するディスプレイユニット１３と、音声・映像入力端子１１を介して外部から入力される音声信号（オーディオ信号）を処理してスピーカ１５に出力するオーディオアンプ１７と、リモートコントロール信号６を受信するリモート信号受信部１９と、ディスプレイユニット１３における映像再生やオーディオアンプ１７を介してのスピーカ１５における音声再生をリモート信号受信部１９が受信したリモートコントロール信号６に基づいて制御する制御部２１と、を備えている。
【００２３】
音声・映像入力端子１１は、例えば、アンテナにより受信したテレビ放送用の電波信号を送るアンテナ出力端子や、ビデオ機器からの出力端子などが接続可能になっている。
【００２４】
ディスプレイユニット１３は、本実施の形態の場合、プラズマディスプレイパネルや液晶ディスプレイパネルを使用した平面型ディスプレイ装置であり、後述する駆動回路３３により描画処理される。
【００２５】
スピーカ１５は、ディスプレイユニット１３の両側部にそれぞれ配置されている。スピーカ１５には、高品位な音楽再生が可能なように、優れた音響特性のものが採用されている。
【００２６】
オーディオアンプ１７には、ピュアオーディオと比較しても十分な音楽再生能力を発揮することのできるアンプ回路が搭載されている。
【００２７】
リモート信号受信部１９は、受信したリモートコントロール信号６がテレビの動作状態の切り替え等を指示する通常の信号の場合にはそのまま制御部２１に送り、リモートコントロール信号６が音楽再生用のオーディオ信号を変調したものである場合は、その信号を信号変換ユニット２２に送って処理させる。
【００２８】
制御部２１は、例えば、音声・映像入力端子１１に入力された音声・映像信号は、チューナー２３に送って処理させる。チューナー２３は、入力された音声・映像信号に対して所定の復調を行うと共に、映像信号と音声信号に分離し、映像信号は映像信号処理回路２５に送り、音声信号は音声信号処理回路２７に送る。
【００２９】
映像信号処理回路２５が処理した映像信号は、切り替えスイッチ３１を介して駆動回路３３に送られる。この駆動回路３３は、切り替えスイッチ３１から入力された映像信号に基づいて、ディスプレイユニット１３に描画処理を行う。
切り替えスイッチ３１は、後述するリモコン装置７からの指示により、映像信号の入手を信号発生回路３５に切り替える。
【００３０】
本実施例の場合、信号発生回路３５は、ディスプレイユニット１３の動作を非表示状態にする制御信号を出力する。
【００３１】
信号変換ユニット２２は、リモート信号受信部１９から受けたリモートコントロール信号６を復調して、元のオーディオ信号を取り出して、アンプ入力切り替え手段３７を介してオーディオアンプ１７に送り、再生させる。
【００３２】
リモコン装置７は、図２に示すように、装置本体５の動作をリモート操作するための操作入力部３８と、リモートコントロール信号６を出力する信号送信部４１と、該操作入力部３８の操作に応じて信号送信部４１が出力するリモートコントロール信号６を決定する本体回路３９と、操作入力部３８による操作内容等を表示するための液晶パネルによる表示部４０と、接続ケーブル４２を介して携帯オーディオ再生機器４３の接続端子４３ａと接続されて該携帯オーディオ再生機器４３が出力するオーディオ信号を受けるオーディオ接続端子４５と、該オーディオ接続端子４５に入力されたオーディオ信号をリモートコントロール信号６に変調して信号送信部４１に送る信号変換ユニット４７と、内蔵の充電式電池への充電のために充電器９が接続される充電端子４８とを備えている。
【００３３】
リモコン装置７が出力するリモートコントロール信号６としては、本実施例では、赤外線ディジタル信号を使う。
本実施の形態のリモコン装置７は、充電端子４８が充電器９から充電を受けているときには、オーディオ接続端子４５に接続された携帯オーディオ再生機器４３の充電も可能になっている。
【００３４】
装置本体５に装備したアンプ入力切り替え手段３７は、リモコン装置７の出力するリモートコントロール信号６が携帯オーディオ再生機器４３からのオーディオ信号を変調した信号であるとき、信号入力先を信号変換ユニット２２に切り替えて、信号変換ユニット２２で復調されたオーディオ信号をオーディオアンプ１７に送り、携帯オーディオ再生機器４３が出力するオーディオ信号を再生させる。
【００３５】
充電器９は、図２に示すように、商用電源に接続される電源回路９ａと、該電源回路９ａから充電用の電圧に降圧した直流電流を出力する充電回路９ｂとを備えている。
【００３６】
以上の表示装置３は、図３に示す制御フローで、携帯オーディオ再生機器４３の出力するオーディオ信号を再生する。
装置本体５は、電源がＯＮの待機状態に有れば（ステップＳ１０１）、リモート信号受信部１９を介して信号変換ユニット２２やアンプ入力切り替え手段３７が、オーディオ信号を含むリモートコントロール信号６を処理可能になる。
【００３７】
携帯オーディオ再生機器４３は、接続ケーブル４２を介してリモコン装置７に接続されると待機状態になり（ステップＳ２０１）、リモコン装置７からの送信要求待ちの状態になる。
【００３８】
リモコン装置７は、操作入力部３８の操作によるメニュー選択で音楽転送再生が選択されると（ステップＳ３０１，Ｓ３０２）、携帯オーディオ再生機器４３を接続済みか否かが判定され（ステップＳ３０３）。ステップＳ３０２で音楽転送再生が選択されていないと判定されたときには、ステップＳ３１１に進んで、通常のリモコン処理を実施する。
ステップＳ３０３において、携帯オーディオ再生機器４３が接続済みと判定された場合には、続いて「音楽転送再生の選択」がキャンセルされているか否かが判定される（ステップＳ３０４）。そして、ステップＳ３０４で「音楽転送再生の選択」がキャンセルされていないと判定された時には、携帯オーディオ再生機器４３に対してデータの送信要求が出される（ステップＳ３０５）。
【００３９】
携帯オーディオ再生機器４３は、リモコン装置７からのデータの送信要求を受けると（ステップＳ２０２）、既にリモコン装置７との間にネットワーク接続が確立している（接続中）か否かを判定し（ステップＳ２０３）、ネットワーク接続が未接続の場合には所定のネゴシエーションを実施してネットワーク接続を確立させ（ステップＳ２０４）、その後、リモコン装置７にオーディオ信号を送信する（ステップＳ２０６）。そして、オーディオ信号の送信が完了したら（ステップＳ２０６）、リモコン装置７との間のネットワーク接続を終了する処理をして（ステップＳ２０７）、一連の信号転送処理が完了する。
【００４０】
リモコン装置７は、ステップＳ３０５で、携帯オーディオ再生機器４３に対してデータ送信要求を出した後、携帯オーディオ再生機器４３からデータ（オーディオ信号）を受けると（ステップＳ３０６）、受けたオーディオ信号を信号変換ユニット４７によりリモートコントロール信号６に変換して、信号送信部４１から送信する（ステップＳ３０７）
【００４１】
リモコン装置７がステップＳ３０７で送信したリモートコントロール信号６を受信した装置本体５のリモート信号受信部１９は、その信号を信号変換ユニット２２により復調（ステップＳ１０２）した後、復調したオーディオ信号をアンプ入力切り替え手段３７によりオーディオアンプ１７に送ることで、再生する（ステップＳ１０３）。
【００４２】
なお、装置本体５は、信号変換ユニット２２及びアンプ入力切り替え手段３７によって、携帯オーディオ再生機器４３のオーディオ信号を再生する時には、切り替えスイッチ３１により信号発生回路３５の信号を駆動回路３３に入力させてディスプレイユニット１３の表示状態を制御する。
【００４３】
以上に説明した実施例の構成によれば、表示装置３が設置してある部屋で携帯オーディオ再生機器４３を聞く場合に、携帯オーディオ再生機器４３を表示装置３のリモコン装置７に接続すれば、携帯オーディオ再生機器４３の出力するオーディオ信号を表示装置３の装置本体５に内蔵のオーディオアンプ１７及びスピーカ１５により再生することができる。
しかも、携帯オーディオ再生機器４３の接続は、持ち運びが可能なリモコン装置７であるため、携帯オーディオ再生機器４３の載置位置等はリモコン装置７と一緒に自由に移動することができ、携帯オーディオ再生機器４３の軽便性を損なわずに、高品位な音楽再生を既設の表示装置３により実現することが可能になる。従って、表示装置３の活用範囲の拡充によって表示装置３の付加価値や商品価値を高めることができる。
【００４４】
また、上記の実施例における装置本体５は、前記リモコン装置７を介して携帯オーディオ再生機器４３からのオーディオ信号を受信・再生している時には、切り替えスイッチ３１による接続切り替えにより、駆動回路３３への入力が信号発生回路３５に切り替えて、ディスプレイユニット１３を非表示状態に制御する。
そのため、消費電力が大きいディスプレイユニット１３の稼働を停止して、節電をすることができる。
また、映像を表示しない状況にすることで、表示装置３をピュアオーディオ装置的に取り扱うことができ、より純粋に音だけを楽しむことができる。
【００４５】
なお、装置本体５がリモコン装置７を介して携帯オーディオ再生機器４３からのオーディオ信号を受信・再生している時のディスプレイユニット１３の表示状態の制御は、上記実施例の構成に限らない。
例えば、信号発生回路３５の出力する信号を、ディスプレイユニット１３に単一色表示をさせる信号として、装置本体５が携帯オーディオ再生機器４３からのオーディオ信号を受信・再生している時には、ディスプレイユニット１３における画像表示を単一色表示状態に制御する構成としても良い。
このような構成にすると、再生する音楽に単一色の発光画面を組み合わせた再生環境を作って、音楽を試聴する雰囲気に変化を与えることができる。
【００４６】
更に、信号発生回路３５の出力する信号を、ディスプレイユニット１３に所定の静止画を表示させる映像信号、あるいは所定の動画を表示させる映像信号として、装置本体５が携帯オーディオ再生機器４３からのオーディオ信号を受信・再生している時には、ディスプレイユニット１３における画像表示を、信号発生回路３５から入力される静止画又は動画の表示状態に制御する構成としても良い。
このような構成にすると、携帯オーディオ再生機器４３からのオーディオ信号を再生する一方で、ユーザの好みの映像を表示させるなどして、表示装置３の活用を更に拡充して、表示装置３の利用価値を高めることができる。
【００４７】
以上、詳述したように、本発明の実施例に係る表示装置３は、外部から入力される映像信号を再生するディスプレイユニット１３と、外部から入力される音声信号を処理してスピーカ１５に出力するオーディオアンプ１７と、リモートコントロール信号６を受信するリモート信号受信部１９と、ディスプレイユニット１３における映像再生や前記オーディオアンプ１７を介してのスピーカ１５における音声再生をリモート信号受信部１９が受信したリモートコントロール信号６に基づいて制御する制御部２１とを備えた装置本体５と、リモートコントロール信号６を出力する信号送信部４１を有したリモコン装置７と、を備えた表示装置３であって、リモコン装置７には、携帯オーディオ再生機器４３（オーディオデータ記憶手段）から出力されたオーディオ信号をリモートコントロール信号６に変調して前記信号送信部４１に送る信号変換ユニット４７とを備え、装置本体５には、リモコン装置７の出力するリモートコントロール信号６が携帯オーディオ再生機器４３からのオーディオ信号を変調した信号であるとき、受信したリモートコントロール信号６を復調して前記オーディオアンプ１７に送り、前記携帯オーディオ再生機器４３が出力するオーディオ信号の再生を行うアンプ入力切り替え手段３７を備えたことを特徴としている。
【００４８】
これにより、表示装置３が設置してある部屋で携帯オーディオ再生機器４３を聞く場合に、携帯オーディオ再生機器４３を表示装置３のリモコン装置７に接続すれば、携帯オーディオ再生機器４３の出力するオーディオ信号を表示装置３の装置本体５に内蔵のオーディオアンプ１７及びスピーカ１５により再生することができる。
【００４９】
しかも、携帯オーディオ再生機器４３の接続は、持ち運びが可能なリモコン装置７であるため、携帯オーディオ再生機器４３の載置位置等はリモコン装置７と一緒に自由に移動することができ、携帯オーディオ再生機器４３の軽便性を損なわずに、高品位な音楽再生を既設の表示装置３により実現することが可能になる。従って、表示装置３の活用範囲の拡充によって表示装置３の付加価値や商品価値を高めることができる。
【図面の簡単な説明】
【００５０】
【図１】本発明に係る表示装置の一実施例の概略構成図である。
【図２】図１に示した表示装置の各部の機能ブロック図である。
【図３】図１に示した表示装置が携帯オーディオ再生機器からのオーディオ信号を再生するときの制御フローを示すフローチャートである。
【符号の説明】
【００５１】
３  表示装置
５  装置本体
６  リモートコントロール信号
７  リモコン装置
９  充電器
１１  音声・映像入力端子
１３  ディスプレイユニット
１５  スピーカ
１７  オーディオアンプ
１９  リモート信号受信部
２１  制御部
２３  チューナー
２５  映像信号処理回路
３１  切り替えスイッチ
３３  駆動回路
３５  信号発生回路（映像入力手段）
３７  アンプ入力切り替え手段
３８  操作入力部
３９  本体回路
４０  表示部
４１  信号送信部
４２  接続ケーブル
４３  携帯オーディオ再生機器（オーディオデータ記憶手段）
４５  オーディオ接続端子
４７  信号変換ユニット
４８  充電端子
【図１】
2008227640.tif 000003
【図２】
2008227640.tif 000004
【図３】
2008227640.tif 000005